【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
複数の中継機によって中継された複数の無線信号が重なった信号を受信する受信部と、
前記受信された重複信号を復調することによってコードワードを生成する復調部と、
予め決定した数のコードワードを蓄積する蓄積部と、
前記複数の中継機から受信されたデータパケットを同時に復号化することによって、複数のデータブロックを生成するために前記蓄積されたコードワードにジョイント復号化を適用する復号化部と、
を備え、
前記複数の無線信号のそれぞれは前記コードワードに対応し、前記コードワードそれぞれは、対応する独立コードを用いて同じ複数のデータブロックを符号化することにより生成されることを特徴とする受信機。
【請求項２】
前記複数の無線信号は互いに異なる送信機から送信された信号を含み、前記復号化部は前記互いに異なる送信機から送信された信号それぞれに対応するデータブロックを生成することを特徴とする請求項１に記載の受信機。
【請求項３】
送信機と前記受信機との間の経路の長さに関するネットワークタイプを判断するネットワークタイプ判断部と、
前記ネットワークタイプ判断部により判断された前記ネットワークタイプが階層ネットワークを指示することに反応して前記生成されたコードワードを復号化する単一ブロック復号化部と、
をさらに備えることを特徴とする請求項１又は２に記載の受信機。
【請求項４】
ロングメッセージ符号化方式に基づいて複数のデータブロックから複数のコードワードを生成し、前記コードワードを含む信号をマルチキャストする送信機であって、前記コードワードのそれぞれは、対応する独立コードを用いて同じ複数のデータブロックを符号化することにより生成される、送信機と、
前記マルチキャストされた信号を受信し、前記マルチキャストされた信号を他の中継機の符号化方式と独立した符号化方式を用いて符号化することにより前記複数のデータブロックのランダムマッピングされた信号を生成し、前記複数のデータブロックの前記ランダムマッピングされた信号を中継する複数の中継機と、
前記複数の中継機によって中継された複数の信号が重なった信号を受信し、前記受信された信号を蓄積し、前記複数の中継機から受信されたデータパケットを同時に復号化することによって、前記複数の信号から前記複数のデータブロックを生成するために前記蓄積された信号にジョイント復号化を適用する受信機と、
を備えることを特徴とする協調通信システム。
【請求項５】
前記受信機は、前記複数の中継機によって中継された少なくとも２つの信号が重なった信号を受信することを特徴とする請求項４に記載の協調通信システム。
【請求項６】
前記送信機は、
前記複数のデータブロックが入力され、複数のコードワードを生成するために前記複数のデータブロックを符号化する符号化部と、
前記複数のコードワードそれぞれを変調することによって複数の変調信号を生成する変調部と、
を備え、
前記符号化部は、前記複数のコードワードそれぞれを生成するために前記複数のデータブロックを互いに独立的に符号化することを特徴とする請求項４又は５に記載の協調通信システム。
【請求項７】
前記複数の中継機それぞれは、
前記複数のデータブロックを含む無線信号を受信する受信部と、
前記受信された信号を復調する復調部と、
予め決定したレベルに基づいて前記復調された信号を量子化する量子化部と、
前記量子化された信号を変調する変調部と、
前記変調した信号を送信する送信部と、
を備え、
前記複数の中継機それぞれに含まれた符号化部は互いに独立的に符号化を行うことを特徴とする請求項６に記載の協調通信システム。
【請求項８】
前記受信機は、
前記複数の中継機によって中継された複数の無線信号が重なった信号を受信する受信部と、
前記受信部によって受信された重複信号を復調することでコードワードを生成する復調部と、
予め決定した数のコードワードを蓄積するコードワード蓄積部と、
前記複数の中継機から受信されたデータパケットを同時に復号化することによって、複数のデータブロックを生成するために前記蓄積されたコードワードに前記ジョイント復号化を適用する復号化部と、
を備えることを特徴とする請求項７に記載の協調通信システム。
【請求項９】
前記受信機は、前記複数の中継機によって中継された複数の信号が重なった予め決定した長さの信号を蓄積し、前記蓄積された信号に前記ジョイント復号化を適用することにより前記複数のデータブロックを復元することを特徴とする請求項４乃至８のいずれか一項に記載の協調通信システム。
【請求項１０】
前記複数のデータブロックをランダムにマッピングするために前記複数の無線信号は独立的に符号化される、請求項１乃至３のいずれか一項に記載の受信機。
【請求項１１】
前記複数の中継機のそれぞれは送信機からマルチキャストされた信号を受信し、前記マルチキャストされた信号を他の中継機の符号化方式と独立した符号化方式を用いて符号化することによって、前記複数のデータブロックのランダムマッピングされた信号を生成し、前記複数のデータブロックの前記ランダムマッピングされた信号を中継する、請求項１乃至３のいずれか一項に記載の受信機。
【請求項１２】
前記マルチキャストされた信号は、対応する独立コードを用いて同じデータブロックを符号化するロングメッセージ符号化方式に基づいて前記送信機によって生成される、請求項１１に記載の受信機。
【請求項１３】
複数の中継機により中継された複数の第１無線信号が重なった第１信号を受信するステップと、
前記第１信号を復調することによって第１コードワードを生成するステップと、
前記第１コードワードを蓄積するステップと、
前記複数の中継機によって中継された複数の第２無線信号が重なった第２信号を受信するステップと、
前記第２信号を復調することによって第２コードワードを生成するステップと、
前記第２コードワードを蓄積するステップと、
前記蓄積された第１及び第２コードワードを同時に復号化することによって、複数のデータブロックを生成するステップと、
を含み、
前記複数の第１無線信号のそれぞれは前記第１コードワードに対応し、前記複数の第２無線信号のそれぞれは前記第２コードワードに対応し、前記第１及び第２コードワードのそれぞれは、対応する独立コードを用いて同じ複数のデータブロックを符号化することにより生成される、通信方法。
【請求項１４】
前記蓄積された第１及び第２コードワードを同時に復号化するステップは、
送信機と受信機との間の経路の長さに関するネットワークタイプを判断するステップと、
前記判断されたネットワークタイプが階層ネットワークを指示することに反応して、前記第１コードワードと前記第２コードワードを復号化するステップと、
を含む、請求項１３に記載の通信方法。
【請求項１５】
前記複数の第１及び第２無線信号は相異なる送信機から送信された信号を含み、前記生成されたデータブロックは前記送信された信号それぞれに対応する、請求項１３又は１４に記載の通信方法。
【請求項１６】
前記複数のデータブロックをランダムにマッピングするために前記複数の第１及び第２無線信号は独立的に符号化される、請求項１３乃至１５のいずれか一項に記載の通信方法。
【請求項１７】
前記複数の中継機のそれぞれは、送信機からマルチキャストされた信号を受信し、前記マルチキャストされた信号を他の中継機の符号化方式と独立した符号化方式を用いて符号化することによって、前記複数のデータブロックのランダムマッピングされた信号を生成し、前記複数のデータブロックの前記ランダムマッピングされた信号を中継する、請求項１３乃至１６のいずれか一項に記載の通信方法。
【請求項１８】
前記マルチキャストされた信号は、対応する独立コードを用いて同じデータブロックを符号化するロングメッセージ符号化方式に基づいて送信機によって生成される、請求項１７に記載の通信方法。
【請求項１９】
請求項１３乃至１８のいずれか一項の方法を実行させるためのプログラムが記録されたコンピュータで読み出し可能な記録媒体。